(57)【特許請求の範囲】
【請求項１】
電気機器の本体壁に形成された孔部より、スライド操作板の操作摘みをスライド可能に突出させた構造のスライド式電源スイッチであって、前記スライド操作板は、その表面には操作摘みを突出形成するとともに、裏面には、波動スイッチの操作部に接触する突部を有した操作枠体と、この操作枠体の横方に突設された水平支持片とを形成しており、前記孔部は、本体壁の適所に、前記スライド操作板の一端を係止させる係止部と、前記スライド操作板の水平支持片を載せる第１のガイド支持突片とに対応させて形成し、前記操作枠体の突部が、前記操作枠体の中央部に設けられ、且つ、下方に突出している構造になっているスライド式電源スイッチ。
【請求項２】
前記係止部が、少なくとも２以上の係止爪を突設した構造になっている、請求項１に記載のスライド式電源スイッチ。
【請求項３】
前記機器本体の第１のガイド支持突片の横方には、前記操作枠体を支持する第２のガイド支持突片が、更に突設されている、請求項１に記載のスライド式電源スイッチ。
【請求項４】
前記第２のガイド支持突片には、前記操作枠体の前記突部と反対する側に突設した突小部に応じた凹曲面を形成している、請求項３に記載のスライド式電源スイッチ。
【請求項５】
機器本体の側壁に、請求項１〜４にいずれに記載のスライド式電源スイッチを設けた、電気機器。
【発明の詳細な説明】
【０００１】
【発明の属する技術分野】
【０００２】
本発明は、電気機器の本体壁に形成された孔部より、スライド操作板の操作摘みをスライド可能に突出させた構造のスライド式電源スイッチ、及び、このスライド式電源スイッチを用いた電気機器に関する。
【従来の技術】
【０００３】
近時、例えば、テレビインターホンのような電気機器では、機器本体の側面などに、操作者が、電源をオン、オフするための電源スイッチ（波動スイッチ）を設けている。このような、電源スイッチ（波動スイッチ）の操作部は、通常、機器本体より露出させた構造になっている。
【０００４】
図９は、従来のテレビインターホンの電源スイッチ（波動スイッチ）を概略的に示す分解斜視図である。このテレビインターホン１２１では、ベース１２２の側壁１２２ｗに電源スイッチ（波動スイッチ）１１０の操作部１１０ａを露出するように設けており、操作部１１０ａの操作により、テレビインターホン１２１への電源の投入と切断とを行っている。
【発明が解決しようとする課題】
【０００５】
しかしながら、このテレビインターホン１２１では、ベース１２２の側壁１２２ｗに電源スイッチ（波動スイッチ）１１０の操作部１１０ａを露出しているため、見栄えが悪いという問題があった。また、このように、電源スイッチ（波動スイッチ）１１０の操作部１１０ａを側壁１２２ｗに露出するように設けた場合には、操作部１１０ａが、指で操作し易い程度の大きさにされているため、テレビインターホン１２１の側壁１２２ｗに、多数のスイッチ手段を設けるようなことを考えた場合には、側壁１２２ｗにおいて、操作部１１０ａの占める面積が大きいため、他のスイッチを実装するスペースが制限を受けるという問題もある。
【０００６】
更に、このテレビインターホン１２１では、電源スイッチ（波動スイッチ）１１０のベース１２２への取付けは、ネジ（図示せず）等によっており、電源スイッチ（波動スイッチ）１１０のベース１２２への取付けに手間がかかるという問題もあった。本発明は、以上のような問題を解決するためになされたものであって、第１の目的は、波動スイッチが露出しないために見栄えがよく、波動スイッチを簡易な構造でスライド方式の電源スイッチとして使用できるスライド式電源スイッチを提供することにある。
【０００７】
また、第２の目的は、このスライド式電源スイッチを設けた電気機器を提供することにある。
【課題を解決するための手段】
【０００８】
請求項１に記載のスライド式電源スイッチは、電気機器の本体壁に形成された孔部より、スライド操作板の操作摘みをスライド可能に突出させた構造のスライド式電源スイッチであって、スライド操作板は、その表面には操作摘みを突出形成するとともに、裏面には、波動スイッチの操作部に接触する突部を有した操作枠体と、この操作枠体の横方に突設された水平支持片とを形成しており、孔部は、本体壁の適所に、スライド操作板の一端を係止させる係止部と、スライド操作板の水平支持片を載せる第１のガイド支持突片とに対応させて形成し、前記操作枠体の突部が、操作枠体の中央部に設けられ、且つ、下方に突出している構造になっている。
【０００９】
このスライド式電源スイッチでは、スライド操作板の操作摘みをスライド操作すれば、電源をオン、オフできる。また、スライド操作板の表面の操作摘みを電気機器の本体壁の孔部から突出させるようにして、このスライド操作板の一端を係止部に係止し、水平支持片を第１のガイド支持突片に載せるようにして取付けることができるので、このスライド式電源スイッチは、容易に組み立てることができる。
【００１０】
また、このスライド式電源スイッチでは、操作枠体の突部を下方に突出している構造としているので、操作者がスライド式電源スイッチをスライド操作すれば、突部が波動スイッチの上面に接触しながら移動することで、波動スイッチがオン、オフされる。
【００１１】
更に、スライド操作板を水平支持枠を第１のガイド支持突片に載せた時に、水平支持枠とガイド支持突片との間で、パッチンというクリック音が発生するようにすれば、このスライド式電源スイッチの組立の際に、作業者に、スライド式電源スイッチが、確実に組み付けられたことを知らせることができるので、便利である。
【００１２】
また、電気機器の本体壁の外方から指で孔部内にあるスライド操作板の操作摘みを押圧すると、そのままスライド操作板を取り外しできるので、スライド式電源スイッチの分解を容易にできる。また、組み付けや取り外しの際に、ネジを使用することなく、指で簡単にできる。
【００１３】
しかも、スライド操作板の水平支持枠を第１のガイド支持突片に載せて支えているので、スライド操作を安定して行うことができる。更に、従来のように波動スイッチのスイッチ操作部が露出しないので、外観が良好となる。また、波動スイッチを簡易な構造でスライド式の電源スイッチとして使用できる。
【００１４】
請求項２に記載のスライド式電源スイッチは、請求項１に記載のスライド式電源スイッチの、係止部が、少なくとも２以上の係止爪を突設した構造になっている。このスライド式電源スイッチでは、少なくとも２以上の爪片に、スライド操作板の下縁を係入することによって、スライド操作板の位置決めができ、また出し入れが容易にできる。
【００１５】
請求項３に記載のスライド式電源スイッチは、請求項１に記載のスライド式電源スイッチの、機器本体の第１のガイド支持突片の横方には、操作枠体を支持する第２のガイド支持突片が更に突設されている。このスライド式電源スイッチでは、操作枠体は、機器本体のガイド支持片の横方に突設された第２のガイド支持突片で支持されるので、更に安定したスライド操作を行うことができる。
【００１６】
請求項４に記載のスライド式電源スイッチは、請求項３に記載のスライド式電源スイッチの、第２のガイド支持突片には、操作枠体の突部と反対する側に突設した突小部に応じた凹曲面を形成している。このスライド式電源スイッチでは、第２のガイド支持突片に、スライド操作板の突部と反対する側に突設した突小部に応じた凹曲面を形成しているので、突部が波動スイッチの円弧状凹部の中央部に位置したときに、波動スイッチを中立位置の水平状態に保つことができ、しかもスライド操作板のスライド操作による波動スイッチのオン・オフ操作をスムーズに行うことができる。
【００１７】
請求項５に記載の電気機器は、機器本体の側壁に、請求項１〜４のいずれかに記載のスライド式電源スイッチを設けている。この電気機器では、機器本体の側壁に、請求項１〜５のいずれかに記載のスライド式電源スイッチを設けるようにしているので、機器本体の側壁には、波動スイッチのスイッチ操作部が露出しないので、電気機器の外観をスマートにできる。
【００１８】
また、この電気機器では、請求項１〜４のいずれかに記載のスライド式電源スイッチを用いているので、外部に露出している部分（操作摘み、孔部等）を小さくできる。これにより、電気機器の側壁に、多数のスイッチ手段を設けることができる。
【発明の実施の形態】
【００１９】
以下、本発明に係るスライド式電源スイッチの一例について、図面を参照しながら、更に詳しく説明する。図１は、本発明に係るスライド式電源スイッチの一例の要部を概略的に示す斜視図であり、図１（ａ）は、電気機器のケースの内側から外側方向に、スライド式電源スイッチの要部の構成を見た状態を概略的に示す斜視図を、又、図１（ｂ）は、ケースの外側からスライド式電源スイッチの構成を見た状態を概略的に示す斜視図を、各々、示している。
【００２０】
また、図２は、本発明に係るスライド式電源スイッチを構成するスライド操作板の表面の構成を概略的に示す平面図であり、また、図３は、図１（ａ）に示すスライド式電源スイッチからケース体を取り去った状態を概略的に示す斜視図であり、図３（ａ）は、スライド操作板と電源スイッチ（波動スイッチ）との関係を概略的に説明する斜視図を、又、図３（ｂ）は、スライド操作板と電源スイッチ（波動スイッチ）との関係を概略的に説明する分解斜視図を、各々、示している。
【００２１】
また、図４は、電源スイッチ（波動スイッチ）の電気機器（この例では、ハンズフリー型のテレビインターホン）への取付例を概略的に示す斜視図である。この電気機器では、図４に示すように、電源スイッチ（波動スイッチ）１０は、電気機器のケースを構成するベース２２の底面（上面）上に、その操作部１０ａが上方を向くように取り付けられている。
【００２２】
スライド式電源スイッチ１は、この例では、カバー２３側に設けられている。このスライド式電源スイッチ１は、図１（ｂ）及び図２に示すように、電気機器の本体壁（カバー２３の側壁）２３ｗに形成された孔部ｈより、スライド操作板２の表面２ａに設けられた操作摘み２ｂをスライド可能に突出させた構造になっている。
尚、この例では、孔部ｈは、長孔とされている。スライド操作板２は、図１（ａ）及び図３に示すように、その裏面２ｃに、水平支持片３と、操作枠体４とを備える。この例では、図３に示すように、操作枠体４は、スライド操作板２に一体成形されており、且つ、弾性変形し得るように、Ｗ字状に湾曲した線体になっている。
【００２３】
且つ、操作枠体４の中央部には、突部４ａが、下方に突設するように設けられており、突部４ａが設けられた側と反対の側には、突小部４ｂが設けられている（図３（ａ）及び図３（ｂ）を参照）。また、水平支持片３は、中空部３ａを有する形状になっている。図５は、カバー２３の孔部ｈが形成された近傍を概略的に示す斜視図である。
【００２４】
この電気機器では、カバー２３のコーナ部に、スライド操作板２の下端を係止させるための複数の係止部（爪片）２３ａ、２３ａを設けている。この例では、複数の係止部（爪片）２３ａ、２３ａの各々は、側面視した場合、略Ｌ字形になっている。更に、カバー２３のコーナ部には、水平支持片３を載せるための第１のガイド支持突片２６が、水平支持片３に対応するように突設されており、また、操作枠体４を載せるための第２のガイド支持突片２７が、第１のガイド支持突片２６の横方に、操作枠体４に対応するように突設されている。
【００２５】
第２のガイド支持突片２７には、図５に示したように、スライド操作板２の操作枠体４の突部４ａと反対する側に突設するように設けられた突小部４ｂに応じた凹曲面２７ａが形成されている。次に、スライド式電源スイッチ１の組み付け手順について説明する。図６は、スライド式電源スイッチ１の組み付け手順を概略的に示す工程図である。
【００２６】
まず、図６（ａ）に示すように、スライド操作板２を指で摘み、その下端が係止部２３ａ、２３ａに係止されるように斜めにする。このとき、第１のガイド支持突片２６は、水平支持片３の内部（中空部３ａ）に位置し、第２のガイド支持突片２７は、操作枠体４の内部に位置している。ついで、図６（ｂ）に示すように、下端を係止部２３ａ、２３ａに係止させたスライド操作板２を、指で、孔部ｈの方に押圧する。すると、図６（ｃ）に示すように、水平支持片３及び操作枠体４は、各々、弾性変形して、第１ガイド支持突片２及び第２のガイド支持突片２７上に各々移動し、スライド操作板２は、孔部ｈの方に引き寄せられて垂直に起立し、スライド操作板２は孔部ｈに密着し（このとき、スライド操作板２と本体壁２３ｗの当接や、水平支持片３及び操作枠体４の復元により、パチという音がする）。
【００２７】
その結果、水平支持片３及び操作枠体４の各々は、第１のガイド支持突片２６及び第２のガイド支持突片２７の各々上に乗り、孔部ｈより操作摘み２ｂが露出する。このようにして、スライド操作板２が取り付けられると、スライド操作板２の水平支持片３及び操作枠体４は、各々、第１ガイド支持突片２６及び第２のガイド支持突片２７の各々の上に支えられることになり、スライド操作板２がスライドする間も、安定した水平状態にガイドされる。
【００２８】
また、スライド式電源スイッチ１からスライド操作板２を取り外すときには、本体壁２３ｗの孔部ｈより突出した操作摘み２ｂを、本体壁２３ｗの外方から内方に強く押せば、第１のガイド支持突片２６から水平支持片３が外れ、第２のガイド支持突片２７から操作枠体４が外れるので、後は、スライド操作板２を指で摘み上げて、スライド操作板２の下端を係止部２３ａ、２３ａから外すだけで、スライド式電源スイッチ１を簡単に分解できる。
【００２９】
また、このスライド式電源スイッチ１は、組み付けや取り外しを、ネジを使用せず、指で簡単にできる。更に、従来のように、電源スイッチ（波動スイッチ）１０の操作部１０ａが露出しないので、外観が良好となる。尚、図６では、操作枠体４及び第２のガイド支持突片２７の動作のみを図示したが、水平支持片３及び第１のガイド支持突片２６の動作は、操作枠体４及び第２のガイド支持突片２７の動作と同様であるので、ここでは、図示するのを省略する。
【００３０】
また、第２のガイド支持突片２７に、図７に示すように、スライド操作板２の突部４ａと反対する側に突設した突小部４ｂに応じた凹曲面２７ａを形成しているので、突部４ｂが、電源スイッチ（波動スイッチ）１０の円弧状凹部１０ｂの中央部に位置したときに、電源スイッチ（波動スイッチ）１０を中立位置の水平状態に保つことができる（図７（ａ）及び図７（ｂ）を参照）。
【００３１】
図８は、本発明に係るスライド式電源スイッチを用いた電気機器であるテレビインターホンを概略的に示す外観斜視図である。このテレビインターホン２１では、ベース２２とカバー２３とにより構成される本体２１ａの側壁２３ｗに、図１に示したスライド式電源スイッチ１を設けているため、電源スイッチ（波動スイッチ）１０の操作部１０ａが外部に露出していない。 これにより、テレビインターホン２１の外観が、すっきりし、スマートになり、見栄えが向上する。
【００３２】
また、電源スイッチ（波動スイッチ）１０の操作部１０ａを側壁２３ｗに露出しないようにし、孔部ｈより、スライド操作板２の操作摘み２ｂが外部に露出するようにし、操作摘み２ｂをスライドさせるだけで、電源スイッチ（波動スイッチ）１０の操作部１０ａの操作が行えるようにしたので、操作摘み２ｂを小さなものとできる結果、テレビインターホン２１の側壁２３ｗに、多数のスイッチ手段ｓｗ１、ｓｗ２、ｓｗ３、ｓｗ４を設けることができるようになった。
尚、図８中、３１で示す部材装置は、テレビインターホン２１の表面に設けたＣＲＴ表示部を、３３で示す部材装置は、通話ランプ３２を設けた通話スイッチを、３４で示す部材装置は、モニタスイッチを、また、３５、３６の各々は、グループ分けされた親機・副親機の各グループを呼び出す内線スイッチを各々示しており、この例では、これらのスイッチ３３、３４、３５、３６は、いずれも押ボタン構造となっている。
【００３３】
また、スイッチｓｗ１は、室内に設けられる親機・副親機をグループ分けするためのグループ設定スイッチを示している。また、スイッチｓｗ２、ｓｗ３は、各々、ドアホン設定スイッチを示している。尚、この例で、ドアホン設定スイッチｓｗ２、ｓｗ３を２つ設けているのは、テレビインターホン２１を２台設ける時に、このテレビインターホン２１を２台のいずれにも使用できるようにするためである。
【００３４】
即ち、このテレビインターホン２１を２台のうちの１台として使用する際には、ドアホン設定スイッチｓｗ２を使用し、もう一台として使用する際には、ドアホン設定スイッチｓｗ３を使用する。また、スイッチｓｗ４は、トークバック設定スイッチを示している。尚、トークバック設定スイッチｓｗ４は、操作摘み１１を操作することで、オンとオフとが選択できるようになっており、トークバック設定スイッチｓｗ４をオフ側にすると、一斉連絡時（この例では、室内間通話時の最初の１０秒間）、呼び出された側の室内の音を呼び出した側に聞こえないようにすることができるようになっている。
【００３５】
また、この例では、スイッチ手段ｓｗ１、ｓｗ２、ｓｗ３、ｓｗ４の各々としても、孔部ｈ内をスライド移動可能に設けた、スライド式のものを用いており、側壁２３ｗに設けるスイッチ手段１、ｓｗ１、ｓｗ２、ｓｗ３、ｓｗ４をいずれもスライド式のものに統一することで、テレビインターホン２１の美観の向上を図っている。
尚、この発明の実施の形態では、スライド式電源スイッチ１をカバー２３側に設けた例について説明したが、スライド式電源スイッチ１は、ベース２２側に設けてもよい。
【発明の効果】
【００３６】
以上、詳細に説明したように、請求項１に記載のスライド式電源スイッチでは、スライド操作板の操作摘みをスライド操作すれば、電源をオン、オフできる。また、スライド操作板の表面の操作摘みを電気機器の本体壁の孔部から突出させるようにして、このスライド操作板の一端を係止部に係止し、水平支持片を第１のガイド支持突片に載せるようにして取付けることができるので、このスライド式電源スイッチは、容易に組み立てることができる。また、電気機器の本体壁の外方から指で孔部内にあるスライド操作板の操作摘みを押圧すると、そのままスライド操作板を取り外しできるので、スライド式電源スイッチの分解を容易にできる。また、組み付けや取り外しの際に、ネジを使用することなく、指で簡単にできる。しかも、スライド操作板の水平支持枠を第１のガイド支持突片に載せて支えているので、スライド操作を安定して行うことができる。更に、従来のように波動スイッチのスイッチ操作部が露出しないので、外観が良好となる。また、波動スイッチを簡易な構造でスライド式の電源スイッチとして使用できるという効果もある。
【００３７】
また、操作枠体の突部を下方に突出している構造としているので、操作者がスライド式電源スイッチをスライド操作するという簡単な操作で、波動スイッチをオン、オフできる。
【００３８】
請求項２に記載のスライド式電源スイッチでは、少なくとも２以上の爪片に、スライド操作板の下縁を係入するようにしているので、スライド操作板の位置決めができる。これにより、スライド式電源スイッチの組立を容易に行うことができる。
【００３９】
請求項３に記載のスライド式電源スイッチでは、操作枠体は、機器本体のガイド支持突片の横方に突設された第２のガイド支持突片で支持されるので、更に安定したスライド操作を行うことができる。
【００４０】
請求項４に記載のスライド式電源スイッチでは、第２のガイド支持突片に、スライド操作板の突部と反対する側に突設した突小部に応じた凹曲面を形成しているので、突部が波動スイッチの円弧状凹部の中央部に位置したときに、波動スイッチを中立位置の水平状態に保つことができ、しかもスライド操作板のスライド操作による波動スイッチのオン・オフ操作をスムーズに行うことができる。
【００４１】
請求項５に記載の電気機器では、機器本体の側壁に、請求項１〜４のいずれかに記載のスライド式電源スイッチを設けるようにしているので、機器本体の側壁には、波動スイッチのスイッチ操作部が露出しないので、電気機器の外観をスマートにできる。また、この電気機器では、請求項１〜４のいずれかに記載のスライド式電源スイッチを用いているので、外部に露出している部分（操作摘み、孔部等）を小さくできる。これにより、電気機器の側壁に、多数のスイッチ手段を設けることができる。
【図面の簡単な説明】
【図１】本発明に係るスライド式電源スイッチの一例の要部を概略的に示す斜視図であり、図１（ａ）は、電気機器のケースの内側から外側方向に、スライド式電源スイッチの要部の構成を見た状態を概略的に示す斜視図を、又、図１（ｂ）は、ケースの外側からスライド式電源スイッチの構成を見た状態を概略的に示す斜視図を、各々、示している。
【図２】本発明に係るスライド式電源スイッチを構成するスライド操作板の表面の構成を概略的に示す平面図である。
【図３】図１（ａ）に示すスライド式電源スイッチからケース体を取り去った状態を概略的に示す斜視図である。
【図４】電源スイッチ（波動スイッチ）の電気機器（この例では、ハンズフリー型のテレビインターホン）への取付例を概略的に示す斜視図である。
【図５】カバーの孔部が形成された近傍を概略的に示す斜視図である。
【図６】本発明に係るスライド式電源スイッチの組み付け手順を概略的に示す工程図である。
【図７】本発明に係るスライド式電源スイッチの動作を概略的に示す図であり、図７（ａ）は、突部が片方に寄っている状態を概略的に示す断面図であり、また、図７（ｂ）は、突部４ｂが、電源スイッチ（波動スイッチ）１０の円弧状凹部１０ｂの中央部に位置した状態を概略的に示す断面図である。
【図８】本発明に係るスライド式電源スイッチを用いた電気機器であるテレビインターホンを概略的に示す外観斜視図である。
【図９】従来のテレビインターホンの電源スイッチ（波動スイッチ）を概略的に示す分解斜視図である。
【符号の説明】
１ スライド式電源スイッチ
２ スライド操作板
２ａ スライド操作板の表面
２ｂ 操作摘み
２ｃ スライド操作板の裏面
３ 水平支持片
４ 操作枠体
４ａ 突部
４ｂ 突小部
１０ 電源スイッチ（波動スイッチ）
１０ａ 操作部
２１ テレビインターホン
２２ ベース
２３ カバー
２３ａ 係止部
２３ｗ 本体壁
２６ 第１のガイド支持突片
２７ 第２のガイド支持突片
２７ａ 凹曲面
ｈ 孔部
【図１】
0003595870.tif 000002
【図２】
0003595870.tif 000003
【図３】
0003595870.tif 000004
【図４】
0003595870.tif 000005
【図５】
0003595870.tif 000006
【図６】
0003595870.tif 000007
【図７】
0003595870.tif 000008
【図８】
0003595870.tif 000009
【図９】
0003595870.tif 000010